(57)【特許請求の範囲】
【請求項１】
非妊娠時または妊娠初期の妊婦の電気インピーダンスを測定する手段と、出産後の褥婦の電気インピーダンスを測定する手段と、これらの電気インピーダンスの値を記憶する手段と、前記記憶する手段により記憶された非妊娠時または妊娠初期の妊婦の電気インピーダンスと出産後の褥婦の電気インピーダンスとを比較する手段と、前記比較する手段のデータを表示する手段とからなる出産後の体調回復判断装置。
【請求項２】
非妊娠時または妊娠初期の妊婦の間質水分指数を測定する手段と、出産後の褥婦の間質水分指数を測定する手段と、これらの間質水分指数の値を記憶する手段と、前記記憶する手段により記憶された非妊娠時または妊娠初期の妊婦の間質水分指数と出産後の褥婦の間質水分指数とを比較する手段と、前記比較する手段のデータを表示する手段とからなる出産後の体調回復判断装置。
【請求項３】
非妊娠時または妊娠初期の妊婦の電気インピーダンスおよび間質水分指数を測定する手段と、出産後の褥婦の電気インピーダンスおよび間質水分指数を測定する手段と、これらの電気インピーダンスおよび間質水分指数の値を記憶する手段と、前記記憶する手段により記憶された非妊娠時または妊娠初期の妊婦の電気インピーダンスおよび間質水分指数と出産後の褥婦の電気インピーダンスおよび間質水分指数とを比較する手段と、前記比較する手段のデータを表示する手段とからなる出産後の体調回復判断装置。
【請求項４】
非妊娠時または妊娠初期の妊婦の電気インピーダンスを入力する手段と、出産後の褥婦の電気インピーダンスを測定する手段と、これらの電気インピーダンスの値を記憶する手段と、前記記憶する手段により記憶された非妊娠時または妊娠初期の妊婦の電気インピーダンスと出産後の褥婦の電気インピーダンスとを比較する手段と、前記比較する手段のデータを表示する手段とからなる出産後の体調回復判断装置。
【請求項５】
非妊娠時または妊娠初期の妊婦の間質水分指数を入力する手段と、出産後の褥婦の間質水分指数を測定する手段と、これらの間質水分指数の値を記憶する手段と、前記記憶する手段により記憶された非妊娠時または妊娠初期の妊婦の間質水分指数と出産後の褥婦の間質水分指数とを比較する手段と、前記比較する手段のデータを表示する手段とからなる出産後の体調回復判断装置。
【請求項６】
非妊娠時または妊娠初期の妊婦の電気インピーダンスおよび間質水分指数を入力する手段と、出産後の褥婦の電気インピーダンスおよび間質水分指数を測定する手段と、前記入力手段及び前記測定手段における電気インピーダンスおよび間質水分指数の値を記憶する手段と、前記記憶する手段により記憶された非妊娠時または妊娠初期の妊婦の電気インピーダンスおよび間質水分指数と出産後の褥婦の電気インピーダンスおよび間質水分指数とを比較する手段と、前記比較する手段のデータを表示する手段とからなる出産後の体調回復判断装置。
【請求項７】
請求項１または４において、表示する手段が電気インピーダンスの値を表示することを特徴とする出産後の体調回復判断装置。
【請求項８】
請求項２または５において、表示する手段が間質水分指数の値を表示することを特徴とする出産後の体調回復判断装置。
【請求項９】
請求項１または４において、記憶する手段が非妊娠時または妊娠初期の電気インピーダンスと出産後の日々の電気インピーダンスとを記憶する出産後の体調回復判断装置。
【請求項１０】
請求項２または５において、記憶する手段が非妊娠時または妊娠初期の間質水分指数と出産後の日々の間質水分指数とを記憶する出産後の体調回復判断装置。
【請求項１１】
請求項３または６において、記憶する手段が非妊娠時または妊娠初期の電気インピーダンスおよび間質水分指数と出産後の日々の電気インピーダンスおよび間質水分指数とを記憶する出産後の体調回復判断装置。
【請求項１２】
請求項３または６において、比較する手段が、前記測定日現在の電気インピーダンスと間質水分指数とが前記非妊娠時または妊娠初期の電気インピーダンスと間質水分指数とにどれだけ回復しているかを演算し、表示する手段が、どれだけ回復しているかの結果を表示することを特徴とする出産後の体調回復判断装置。
【発明の詳細な説明】
【０００１】
【発明の属する技術分野】
本発明は、分娩後の褥婦の体調回復、例えば退院して良いか等の判断をするための体調回復判断装置に関するものである。
【０００２】
【従来の技術】
従来、分娩後褥婦の体調回復の判断としては、立ち上がることができれば、歩いて良い程度でなされていた。また、分娩後褥婦の退院についても、血液検査や尿検査等を行い、さらに子宮収縮がよければその結果から担当医師が総合的に判断するものの、概ね分娩後１週間程度で退院していた。
【０００３】
【発明が解決しようとする課題】
しかしながら分娩後の褥婦の肉体は子宮内で胎盤を発育させる環境から子宮外で新生児を保育させる環境へと大きく変わるので褥婦には外観からは判断できないかなりの負荷が加わっている。たとえば、分娩後の褥婦の体内には妊娠により増加した血液を血管内に保有することができず、そのため血圧が上昇し、血液中の血漿成分が血管から細胞間質に漏れだし、分娩後も細胞間質に多くの水分を貯留する体内変化、つまり大きな浮腫を発生していた。
【０００４】
【課題を解決するための手段】
本発明は、出産後の褥婦の生体電気特性を測定すると共に、この生体電気特性の値を記憶し、この値の変化から出産後の褥婦の体調回復を判断するものである。
また本発明は、非妊娠時または妊娠初期の妊婦の生体電気特性を測定すると共に、出産後の褥婦の生体電気特性を測定し、これら生体電気特性を比較することにより、出産後の褥婦の体調回復を判断するものである。
【０００５】
さらに、出産後の褥婦の体調回復は非妊娠時または妊娠初期の妊婦の生体電気特性と、出産後の生体電気特性値の変化との比較により判断するものである。
さらに、生体電気特性は、生体電気インピーダンスであることが好ましい。
さらに、生体電気特性は、間質水分指数であることが好ましい。
さらに本発明は、出産後の褥婦の生体電気特性を測定する手段と、この生体電気特性の値を記憶する手段と、この記憶手段のデータを表示する手段とからなるものである。
さらに本発明は、非妊娠時または妊娠初期の妊婦の生体電気特性を測定する手段と、出産後の褥婦の生体電気特性を測定する手段と、この生体電気特性の値を記憶する手段と、記憶手段により記憶された非妊娠時または妊娠初期の妊婦の生体電気特性と出産後の褥婦の生体電気特性とを比較する手段と、この比較手段のデータを表示する手段とからなるものである。
【０００６】
さらに、前記２つの測定手段が褥婦の生体電気インピーダンスを測定し、表示手段がインピーダンス値を表示することが好ましい。
さらに、前記２つの測定手段が褥婦の間質水分指数を測定し、表示手段が間質水分指数を表示することが好ましい。
さらに、記憶手段が非妊娠時または妊娠初期の生体電気特性と出産後の日々の生体電気特性とを記憶することが好ましい。
【０００７】
【発明の実施の形態】
本発明は、出産後の褥婦の生体電気特性を測定し、この生体電気特性の値を記憶し、この変化から出産後の褥婦の体調回復を判断する。
また非妊娠時または妊娠初期の妊婦の生体電気特性と、出産後の褥婦の生体電気特性を測定し、これら生体電気特性を比較することにより、出産後の褥婦の体調回復を判断する。
【０００８】
【実施例】
図１は、非妊娠時から出産（この場合は妊娠３９週５日）、および出産後の褥婦の体調、例えば体重、平均血圧、生体電気特性である電気インピーダンスと電気インピーダンスの逆数に１０００を掛けた間質水分指数との４つの変化を測定したものである。この測定によると、非妊娠時から妊娠初期である１２週頃までは、ほとんど変化がないものの、妊娠１２週を過ぎると体重は胎児の成長とともに徐々に増加し、出産で減少するものの非妊娠時の体重まで戻らず、分娩後２週以降にほぼ戻っている。また、平均血圧は、妊娠中期に向けて低下傾向を示すが、妊娠後期に入り分娩が近づくと子宮収縮により上昇する。分娩後は血管が収縮するので、数日間血圧が上昇し、その後数日で急激に減少し、分娩後３週以降に非妊娠時の平均血圧まで戻っている。この出産直後の体重と平均血圧の変化は、出産直後でも胎児を成長させるために増加してきた血液や身体に蓄積されていた栄養分がすぐ減少せず、１週間くらいかけて徐々に減少するものである。
【０００９】
さらに、電気インピーダンスは、妊娠週数の経過により若干の低下が見られるが、出産直後から１週間くらいは急激に低下し、その後１乃至２週間で回復してくる。図1の間質水分指数は、電気インピーダンスの逆数に連動するので、電気インピーダンスの変化に対し、上下逆の変化をする。この出産直後の電気インピーダンスの低下は、妊娠により増加した血液が血圧上昇により一時的に細胞間質に漏出することによる細胞外液の増加が影響しているものと考えられる。特に妊娠中毒症にかかった褥婦では、細胞外液がかなり増加、すなわち大きな浮腫が発生しているために電気インピーダンスが低下したまま、元の値になかなか戻らない。
このように出産後の電気インピーダンス、または間質水分指数である生体電気特性を測定し、その変化を追うこと、または非妊娠時や妊娠初期の生体電気特性と比較するにより出産後の体調がどの程度回復してきているかを判断することができる。
【００１０】
図２は本発明を適用した体調回復測定装置の外観図である。1は体調回復測定装置本体で、内部に公知の体重計を備え、上面に表示部２、各種データを入力するためのデータ設定押しボタン３、データの値を減少させるダウンボタン４、データの値を増加させるアップボタン５が設けてある。６は、電源スイッチである。７は、通常の体重計として使用するか、妊婦用の体重計として使用するかの切り替えスイッチである。８Ａ、８Ｂは、左足と右足の踵部が接するための電極で、９Ａ、９Ｂは、左足と右足の足先用電極である。
【００１１】
図３は図２に示す体調回復測定装置１の電気回路の概略ブロック図である。１０はマイクロコンピュータを用いた演算処理部であり、従来より公知の体重を測定するはかり部１１、表示部２、設定ボタン３とダウンボタン４とアップボタン５と切り替えスイッチ７等を含む入力部１２、公知の時計機能部１３、演算結果等のデータを記憶しておくための不揮発性の記憶部１４を接続する。１５は電池であり、電源スイッチ６を介して演算処理部１０に接続させているが他の部分で電気を必要としているところにも電気を供給している。
１６は、演算処理部１０に接続され、演算処理部１０からの信号により左右の足先用電極９Ａ、９Ｂに一定の電流を供給する電流供給部であり、１７は演算処理部１０に接続され、演算処理部１０からの信号により左右の踵部電極８Ａ、８Ｂにかかる電圧を測定する電圧検出部である。
図４は、本発明に関る概略フローチャートである。
図５と図６は、表示部２の入力および測定結果の表示状態を示すものである。
【００１２】
次に図２乃至図６を用いて本装置の動作を説明する。最初に体調回復測定装置1の電源スイッチ６を押すと、電池１５から演算処理部１０やその他の部分に電気が供給される（ステップＳ１）。これにより演算処理部１０内部のマイクロコンピュータが初期設定される（ステップＳ２）。次にステップＳ３で設定ボタン３が押されているかどうかが判断され、この設定ボタン３が押されるとステップＳ４に進み、図５aに示すような現在の日時の設定処理になる。この設定は既に多くの機器で周知慣用のものであるので、ここでは詳細な説明を省略するが、最初に年をアップボタン５とダウンボタン４で現在年に合わせ、設定ボタン３を押すと月の設定に変わる。このようにして月、日、時、分を合わせ設定ボタン３を押すと、現在日時データの入力が完了し、ステップＳ５に進む。このステップＳ４で設定された日時、時刻はこのあと電源スイッチ６が切られても時計機能部１３が独自に動作して、次に電源スイッチ６を入れたときに表示部２にそのときの日付と時刻とを表示する構成になっている。
【００１３】
ステップＳ５では、妊婦の身長を入力するが、このとき表示部には図５bで示すように初期値１５０ｃｍが表示されているので、アップキー５またはダウンキー４で所定の値に変更する。そして、設定ボタン３を押すことによりこの値が記憶部１４に記憶され、ステップＳ6に進む。この時設定記憶された身長は、以降の演算時に使用される。ステップＳ６では、妊娠前、即ち非妊娠時または妊娠初期の体重、電気インピーダンスおよび間質水分指数を入力するステップであり、図５cに示すように初期値として体重が５０ｋｇ、電気インピーダンスが５００Ω、間質水分指数が２０を表示部２に表示されているので、まず体重をアップキー５またはダウンキー４で所定の値に変更し、設定ボタン３を押し、設定された体重を記憶部１４に記憶させ、次に電気インピーダンスをアップキー５またはダウンキー４で所定の値に変更し、設定ボタン３を押し、設定された電気インピーダンスを記憶部１４に記憶させ、最後に間質水分指数をアップキー５またはダウンキー４で所定の値に変更し、設定ボタン３を押し、設定された間質水分指数を記憶部１４に記憶させ、ステップＳ７に進む。
【００１４】
この時設定記憶された非妊娠時のデータは、以降の演算時に使用される。ステップＳ７では、図５dに示すように褥婦人科医師の診断による出産予定日を、ステップＳ４で設定したように年、月、日を入力し、最後に設定ボタン３を押して出産予定日のデータを記憶部１４に記憶させて、ステップＳ８に進む。このステップＳ８ではステップＳ７で設定した方法と同様の方法で図５ｅに示すように分娩日を設定し、設定ボタン３を押して記憶部１４に記憶させる。なお、分娩日のみ後日に入力するときには、ステップＳ４からＳ７で設定するデータは、既に設定データが記憶部１４に記憶してあるので、表示部２には記憶してあるデータを表示するので、設定ボタン３を押していくことでステップＳ8まで進めればよい。
【００１５】
上記のようにデータが一度設定された後には、次に設定押しボタン３を押さない限りステップＳ３でNoと判断され、ステップＳ９に進む。ステップＳ９では、切り替えスイッチ７が押されていれば妊婦用の体重計として判断され、ステップＳ１０に進み、体調回復測定装置1の上面の電極８Ａ、９Ａに左足を、電極８Ｂ、９Ｂに右足を乗せて体重を測定する。ここで測定された体重は、測定日のデータと共に記憶部１４に記憶され、ステップＳ１１での演算処理に使用される。ステップＳ１１では、ステップＳ６で入力した非妊娠時の体重と現在の体重とを比較して、どれだけ非妊娠時の体重に近づいてきたかを演算するものである。
【００１６】
ステップ１２では、電流供給部１６から電極９Ａ、９Ｂを介して妊婦の右足と左足間に微弱な電流を流し、電極８Ａ、８Ｂ間で電圧を測定する。この測定原理は公知の体脂肪計と同様であるので、詳細な説明は省略する。そしてステップＳ１３にて、電流と電圧から生体電気インピーダンスを演算するとともに間質水分指数も演算する。さらにこのステップでは、非妊娠または妊娠初期の電気インピーダンスと間質水分指数と、測定日現在の電気インピーダンスと間質水分指数とを比較して、非妊娠または妊娠初期の電気インピーダンスと間質水分指数にどれだけ回復してきているかも演算する。その演算結果は、ステップＳ１４で図６ａで示すように表示部２に表示し、ステップＳ３に戻る。
【００１７】
また、ステップＳ９でＮｏと判断された場合は、ステップＳ１５にて体重を測定し、ステップＳ１６にてステップＳ１２と同様に電気インピーダンスを測定し、公知の体脂肪計の原理で体脂肪率を演算する。この演算結果は、ステップＳ17にて図６ｂに示すように表示部２に表示し、その後ステップＳ３に戻る。
【００１８】
この実施例では、電気インピーダンスと間質水分指数との変化を表示するようにしたが、間質水分指数のみでも体調の回復を表現できるので、間質水分指数の表示のみでもよい。
また、この実施例では、体重の変化、電気インピーダンス、すなわち間質水分指数の変化で体調回復を測定したが、より正確に測定するために平均血圧の回復も考慮に入れるとよい。
さらに、この実施例では非妊娠時または妊娠初期の生体電気特性と、出産後の生体電気特性とを比較したが、非妊娠時または妊娠初期の生体電気特性を測定できなかった場合には、出産後の生体電気特性の絶対値のみで判断してもよい。
【００１９】
さらに、この実施例では、出産前のデータを手動入力により記憶部１４に記憶させているが、出産前、すなわち非妊娠時や妊娠１２週ころまでのデータは、日々の体調の変化に対応すべく１週間程度の測定データを記憶部１４に記憶させ、演算処理部１０により演算させた平均値を記憶部１４に記憶させて用いるほうがよい。
さらに、この実施例では、非妊娠時または妊娠１２週の生体電気特性と出産後の測定日の生体電気特性とを比較しているが、出産後の生体電気特性は測定した日ごとに測定日と測定データとをセットにして、全て記憶部１４に記憶させ、これらの変化をグラフ化して表示すると回復状況がわかりやすくなる。
【００２０】
さらに、この実施例では、体重計と一体型の測定装置で褥婦の足−足間の生体電気特性を測定したが、手−足間の測定、さらには手−手間でも図１に示すような生体電気特性において同様の現象が現れたので、手−足間、手−手間で生体電気特性を測定するようにしてもよい。
さらに、この実施例では電流供給部１６からの電流を例えば５０ＫHzの単一周波数の一定電流としているが、複数の周波数の電流を順次切替えて供給して測定することもできる。
【００２１】
【発明の効果】
本発明は、出産後の褥婦の生体電気特性を測定すると共に、この生体電気特性の値を記憶し、この値の日々の変化から出産後の褥婦の体調回復を簡単に判断することができる。
【００２２】
また、非妊娠時または妊娠初期の褥婦の生体電気特性を測定すると共に、出産後の褥婦の生体電気特性を測定し、これら生体電気特性を比較することにより、出産後の褥婦の体調回復を非妊娠時と比較して回復状況を簡単に判断することができる。
【００２３】
さらに、生体電気特性として生体電気インピーダンスや間質水分指数を用いるので、従来の体脂肪計を利用することができる。
【図面の簡単な説明】
【図１】非妊娠時から出産後までの褥婦の状態を示す図である。
【図２】体調回復測定装置の外観図である。
【図３】体調回復測定装置の電気回路の概略ブロック図である。
【図４】体調回復測定装置のフローチャートである。
【図５】体調回復測定装置の入力表示状態を示す図である。
【図６】体調回復測定装置の測定結果表示状態を示す図である。
【符号の説明】
１    体調回復測定装置本体
２    表示部
３    設定ボタン
４    ダウンボタン
５    アップボタン
６    電源スイッチ
７    切替スイッチ
8Ａ、8Ｂ    踵部電極
9Ａ、9Ｂ    足先用電極
１０    演算処理部
１１    はかり部
１２    入力部
１３    時計機能部
１４    記憶部
１６    電流供給部
１７    電圧検出部
【図１】
0003722654.tif 000002
【図２】
0003722654.tif 000003
【図３】
0003722654.tif 000004
【図４】
0003722654.tif 000005
【図５】
0003722654.tif 000006
【図６】
0003722654.tif 000007